(57)【要約】【課題】  組み付け作業性を良好にしつつ固定強度を保つことのできる指示計器を提供すること。【解決手段】  表示素子１０をホルダー１１に組み付け固定した表示器Ｄ１と、表示器Ｄ１の外周に沿って指標部１２Ａが施された表示板１２と、表示器Ｄ１の後方に設けられ、回動可能な指針軸７を有する駆動部材６と、指針軸７に固定され、指標部１２Ａに沿って回動可能に指示する指針８と、ホルダー１１を固定保持する計器ケース３とを備えてなる指示計器において、指針８の移動指示領域から外れた非移動領域に位置するホルダー１１箇所には、その背面側に取付脚部１１Ｂが設けられるとともに、外側面側に振れ止め部１１Ｄが設けられ、計器ケース３側には、取付脚部１１Ｂと対向する箇所に固定受部３Ａが設けられるとともに、振れ止め部１１Ｄを嵌め込み係止する振れ止め係止部３Ｄが設けられているため、計器ケース３側に対してホルダー１１側を片持ち状態にて安定的に固定保持することができる。【選択図】  図３
2008058222.tif 000002
【特許請求の範囲】
【請求項１】
表示素子を枠状のホルダーに組み付け固定した表示器と、この表示器の外周に沿って指標部が施された表示板と、この表示板と前記表示器の後方に設けられ、回動可能な指針軸を有する駆動部材と、前記指針軸に固定され、前記表示板に施された前記指標部に沿って回動可能に指示する指針と、前記駆動部材を保持する回路基板と、この回路基板と前記ホルダーを固定保持する計器ケースとを備えてなる指示計器において、前記指針の移動指示領域から外れた非移動領域に位置する前記ホルダー箇所には、その背面側に取付脚部が設けられるとともに、外側面側に振れ止め部が設けられ、前記計器ケース側には、前記取付脚部と対向する箇所に固定受部が設けられるとともに、前記振れ止め部を嵌め込み係止する振れ止め係止部が設けられていることを特徴とする指示計器。
【請求項２】
前記振れ止め係止部の受入口には、開放側が末広がり状となる受入面を形成してなることことを特徴とする請求項１に記載の指示計器。
【請求項３】
前記固定受部は、前記取付脚部を受入可能な筒状からなり、固定部材を介して前記計器ケース側と前記ホルダーの取付脚部とを固定保持してなることを特徴とする請求項１に記載の指示計器。
【請求項４】
前記固定受部の受入口には、開放側が末広がり状となる受入面を形成してなることことを特徴とする請求項１または請求項３に記載の指示計器。
【発明の詳細な説明】
【技術分野】
【０００１】
本発明は、車両等に搭載する指示計器に関するものであって、指針と表示板とでなる指針式計器の中央で電子式の表示器による情報表示を行いつつ、前記指針が表示器の後方を迂回して表示板の指標部を指示する指示計器に関するものである。
【背景技術】
【０００２】
この種の指示計器として、たとえば下記特許文献１や特許文献２などに記載されているものが知られている。この指示計器は、液晶パネルなどからなる表示器と、この表示器の外周に沿って指標部が配された表示板と、指標部を指示する指針と、この指針を駆動すべく表示器の背後に配置された駆動部材（回動内機）と、この駆動部材と電気的に連結され、機械的に固定保持される回路基板と、この回路基板および前記表示器を固定保持する計器ケースとを備えている。指針はその回転基部が駆動部材の駆動軸（指針軸）に連結（圧入固定）され、表示器の後方を迂回して自由端側が表示板の前方に至るように屈曲している。このように屈曲した指針の動作を可能とするため、表示器と回路基板との間隔は、指針の作動に影響がない許容できる間隔にて設定されている。
【０００３】
また、前記液晶パネルなどからなる表示器は、たとえば特許文献３に記載されているように、樹脂製のホルダー（リフレクタ）に固定保持されている。この際、表示器を保持するホルダーの裏面側から一体的に取り付け部が延出され、計器ケースに収納保持された回路基板上にホルダーに設けられた取り付け部がネジを介して固定保持されている。
【特許文献１】特開２００３−１４５０８号公報
【特許文献２】ＤＥ４３２１１４６号Ａ１
【特許文献３】特開２００５−２７４４３８号公報
【発明の開示】
【発明が解決しようとする課題】
【０００４】
ところで、上記特許文献１や特許文献２あるいは特許文献３などにおいては、その指示計器の組付けに際し、通常計器ケースを基準として回路基板に電気的に且つ機械的に組み付けられた駆動部材を取り付け固定し、駆動部材に設けられた駆動軸（指針軸）に指針を圧入固定し、駆動部材の前面側に配置される液晶パネルなどからなる表示器をホルダー（リフレクタ）を介して計器ケーシング側に組み付け固定するようにしている。この際、特許文献３（図２，図３）に示されているように、ホルダーの背面側であって、指針式計器における指針の回動移動領域（回動角度範囲）から外れた非移動領域に位置する領域には、指針の動作を妨げないようにホルダーから一体的に設けられた取り付け部が形成してあり、この取り付け部の下端側を計器ケース側である回路基板上の所定の組み付け位置に合わせて背後側からネジを介して回し締め固定するようにしている。
【０００５】
従って、ホルダーの背面側に設けられる取り付け部は、ホルダーの一端側（下端側）に片寄った状態（片持ち状態）に配設されるため、組付けの際において不安定となりやすく、この状態にて回路基板の所定の位置に表示器をセットしたホルダーの取り付け部の位置を合わせるようにしてネジにより回し締め固定する必要があるため、位置合わせをしながらホルダー側を組み付け固定するという工程上、その組み付け作業が厄介なものであり、組み付け後において片持ち状態にホルダーに固定保持された表示器が固定保持されているため、片持ち状態に保持されている側を基点として開放されている側が振動しやすくなり、固定強度を充分に保つことができなくなるという虞がある。
【０００６】
本発明はこの点に着目してなされたもので、その目的としては、組み付け作業性を良好にしつつ固定強度を保つことのできる指示計器を提供することにある。
【課題を解決するための手段】
【０００７】
本発明は、前述した課題を解決するため、請求項１に記載のように、表示素子を枠状のホルダーに組み付け固定した表示器と、この表示器の外周に沿って指標部が施された表示板と、この表示板と前記表示器の後方に設けられ、回動可能な指針軸を有する駆動部材と、前記指針軸に固定され、前記表示板に施された前記指標部に沿って回動可能に指示する指針と、前記駆動部材を保持する回路基板と、この回路基板と前記ホルダーを固定保持する計器ケースとを備えてなる指示計器において、前記指針の移動指示領域から外れた非移動領域に位置する前記ホルダー箇所には、その背面側に取付脚部が設けられるとともに、外側面側に振れ止め部が設けられ、前記計器ケース側には、前記取付脚部と対向する箇所に固定受部が設けられるとともに、前記振れ止め部を嵌め込み係止する振れ止め係止部が設けられていることを特徴とする指示計器である。
【０００８】
このように構成することにより、指示計器の組み付けに際し、特に計器ケース側を基準として、ホルダーに組み付け固定した表示器側を簡単に組み付け固定することができるという効果がある。すなわち、指針の移動指示領域から外れた非移動領域に位置するホルダー箇所には、その背面側に取付脚部を設けるとともに、外側面側に振れ止め部を設け、計器ケース側には、取付脚部と対向する箇所に固定受部を設けるとともに、振れ止め部を嵌め込み係止する振れ止め係止部を設けてなることにより、計器ケース側に設けた固定受部に沿ってホルダーに設けられた取付脚部を簡単に位置合わせしつつ組み付け保持することができるとともに、計器ケース側に設けた振れ止め係止部に沿ってホルダーに設けられた振れ止め部を簡単に嵌め込んで保持することができるものであり、これにより従来に比してその組み付け作業効率を高めつつ固定強度を充分に保つことができるという効果がある。
【０００９】
また、請求項１に記載の指示計器において、請求項２では、前記振れ止め係止部の受入口には、開放側が末広がり状となる受入面を形成してなることことを特徴とする指示計器である。
【００１０】
このように構成することにより、開放側が末広がり状となる受入面を施してなる振れ止め係止部に沿ってホルダーに設けられた振れ止め部を案内しながら位置合わせすることができ、スムーズに組み付け作業を行うことができるという効果がある。
【００１１】
また、請求項１に記載の指示計器において、請求項３では、前記固定受部は、前記取付脚部を受入可能な筒状からなり、固定部材を介して前記計器ケース側と前記ホルダーの取付脚部とを固定保持してなることを特徴とする指示計器である。
【００１２】
このように構成することにより、計器ケース側に設けられた筒状からなる固定受部に沿ってホルダーに設けられた取付脚部を位置合わせしながら組み付け保持することができるとともに、固定部材を介して強固に前記計器ケース側に対して前記ホルダーに設けられた取付脚部を固定保持することができる。
【００１３】
また、請求項１または請求項３に記載の指示計器において、請求項４では、前記固定受部の受入口には、開放側が末広がり状となる受入面を形成してなることことを特徴とする指示計器である。
【００１４】
このように構成することにより、開放側が末広がり状となる受入面を施してなる固定受部に沿ってホルダーに設けられた取付脚部を案内しながら位置合わせすることができ、スムーズに組み付け作業を行うことができるという効果がある。
【発明の効果】
【００１５】
本発明による指示計器においては、表示素子を枠状のホルダーに組み付け固定した表示器と、この表示器の外周に沿って指標部が施された表示板と、この表示板と前記表示器の後方に設けられ、回動可能な指針軸を有する駆動部材と、前記指針軸に固定され、前記表示板に施された前記指標部に沿って回動可能に指示する指針と、前記駆動部材を保持する回路基板と、この回路基板と前記ホルダーを固定保持する計器ケースとを備えてなる指示計器において、前記指針の移動指示領域から外れた非移動領域に位置する前記ホルダー箇所には、その背面側に取付脚部が設けられるとともに、外側面側に振れ止め部が設けられ、前記計器ケース側には、前記取付脚部と対向する箇所に固定受部が設けられるとともに、前記振れ止め部を嵌め込み係止する振れ止め係止部が設けられていることを特徴とする指示計器であるため、指示計器の組み付けに際し、特に計器ケース側を基準として、ホルダーに組み付け固定した表示器側を簡単に組み付け固定することができるという効果がある。すなわち、指針の移動指示領域から外れた非移動領域に位置するホルダーには、そのホルダーの背面側に取付脚部を設けるとともに、ホルダーの外側面側に振れ止め部を設け、計器ケース側には、取付脚部と対向する箇所に取付脚部を位置合わせしつつ受入可能な固定受部を設けるとともに、ホルダーに設けられた振れ止め部を嵌め込み係止する振れ止め係止部を設けてなることにより、計器ケース側に設けた固定受部に沿ってホルダーに設けられた取付脚部を簡単に位置合わせしつつ組み付け保持することができるとともに、計器ケース側に設けた振れ止め係止部に沿ってホルダーに設けられた振れ止め部を簡単に嵌め込んで保持することができるものであり、これにより従来に比してその組み付け作業効率を高めつつ固定強度を充分に保つことができるという効果があり、初期の目的を達成することができる。
【発明を実施するための最良の形態】
【００１６】
以下、添付図面に基づいて、本発明を適用した指示計器の実施形態を説明する。
【００１７】
図１から図５は、本発明の第１の実施形態を示す。図１は指示計器の正面図、図２は、図１における中央に位置した指示計器において、前面カバーを取り除いた状態を示した正面図、図３は、図１における表示器と指針式計器の概要を示す要部の分解斜視図、図４は、、図１のＡ−Ａ線断面図、図５は、図４の指針式計器と表示器との組み付け前の状態を示す分解断面図である。
【００１８】
本実施形態による指示計器は、たとえば自動車のダッシュボードに搭載されるコンビネーションメータからなるもので、図１に示すように、中央に位置した表示器とその回りを取り囲むように配置した指針式計器とを一組にセットした指示計器が、横一列に配列して構成されている。なお図１では中央に位置する指針式計器Ｇ１と表示器Ｄ１のみ詳細に示し、両脇に位置するそれぞれの指針式計器Ｇ２，Ｇ３と表示器Ｄ２，Ｄ３とがそれぞれペアとなって左右にセットされている。
【００１９】
各指針式計器Ｇ１〜Ｇ３と各表示器Ｄ１〜Ｄ３は、計測する内容や表示する内容（計測値の種類等）が異なるだけでその機械的構成は基本部分で一致しており、その指針式計器Ｇ１〜Ｇ３，表示器Ｄ１〜Ｄ３を代表として図１に示すように、中央に配置された表示器Ｄ１とその周囲を囲むように配置した指針式計器Ｇ１（共に後に詳述）とにより構成されている。
【００２０】
これら指針式計器Ｇ１〜Ｇ３と表示器Ｄ１〜Ｄ３の前方には、遮蔽部材（見返し部材またはマスク部材）１が配置され、この遮蔽部材１は、たとえば遮光性の合成樹脂材料（たとえば黒色）からなり、指針式計器Ｄ１〜Ｄ３の所要部を露出し、不要部（窓枠部）を隠蔽する開口が形成されている。
【００２１】
遮蔽部材１の前方には、例えば透光性の合成樹脂材料（たとえば無色透明）からなるフロントカバー２が設けられ、埃等の進入を防いでいる。
【００２２】
一方、それぞれの表示器Ｄ１〜Ｄ３の後方（背後）には、計器ケース（剛体）３、回路基板４、リアカバー５がそれぞれ位置している。
【００２３】
計器ケース３は、各指針式計器Ｇ１〜Ｇ３や表示器Ｄ１〜Ｄ３を組み付け固定する、有底枠体からなる剛体であって、遮蔽部材１、フロントカバー２、回路基板４、リアカバー５を直接的または間接的に装着するコア部品となるものである。
【００２４】
回路基板４は、計器ケース３（の底部）の背後に配置される硬質の回路基板であり、その背面にはたとえば指針式計器Ｇ１の一部を構成するステッピングモータからなる駆動部材６が装着され、この駆動部材６に設けられた回動可能な駆動軸７（指針軸）は回路基板４を貫通して前方に延び、その先端部に指針８が圧入固定されている。また回路基板４の前面側であって駆動軸７（指針軸）の周りには、指針８を照明するためのたとえば発光ダイオードからなる指針用光源９が配置されている。
【００２５】
リアカバー５は、回路基板４の背面を覆ってこれを保護するものである。
【００２６】
以上、リアカバー５、回路基板４、計器ケース３、指針式計器Ｇ１〜Ｇ３および表示器Ｄ１〜Ｄ３、遮蔽部材１、フロントカバー２によって、コンビネーションメータが構成される。
【００２７】
次に中央に位置した指針式計器Ｇ１と表示器Ｄ１の詳細構造について説明する。
【００２８】
指針式計器Ｇ１には、回路基板４の背後側に電気的に連結され、且つ機械的に組み付け固定される前記駆動部材６が設けられているとともに、この駆動部材６に設けられた駆動軸７（指針軸）の先端部には指針８が圧入固定されている。
【００２９】
指針８は、前記表示器Ｄ１の後方に位置し実質的に観察者側から視認されない第１の移動エリアに存在する第１の指針部８Ａと、前記表示器Ｄ１の前方に位置し実質的に観察者側から視認される第２の移動エリアに存在する第２の指針部８Ｂとに分割形成され、これら第１の指針部８Ａと第２の指針部８Ｂとを連結するための連結部材８Ｃとで構成され、第１の指針部８Ａと第２の指針部８Ｂとは共に透明な合成樹脂材料からなり、連結部材８Ｃはたとえば遮光性の合成樹脂材料（たとえば黒色の合成樹脂材料）によって形成されている。
【００３０】
第１の指針部８Ａ部分は、表示器Ｄ１の側面から背面にかけてクランク形状に迂回して延びる棒状体からなり、指針用光源９から入光した光をその長手方向に向けて反射する反射部（図示せず）と、駆動軸７に沿って延び駆動軸７に圧入固定される第１の指針部８Ａのボス部８ａとを備え、ボス部８ａとは反対側となる自由端部は、第２の指針部８Ｂ部分に対向している。
【００３１】
第２指針部８Ｂ部分は、表示器Ｄ１の前面（後述する表示板）に沿って延びる棒状の指示部であり、その背面または前面には、視認色を決定するための図示しないホットスタンプ層からなる着色層が設けられている。
【００３２】
連結部材８Ｃは、第１の指針部８Ａ，第２の指針部８Ｂとのそれぞれを部分的に収納する概略箱形形状をなしている。
【００３３】
このように構成される指針式計器Ｇ１は、表示器Ｄ１（後述する表示板）の後方を迂回して表示器Ｄ１（後述する表示板）の前方に至り、駆動部材６に設けられた駆動軸７の回転に伴い、駆動軸７を基準として表示器Ｄ１の外周を回転（回動）移動する。また指針用光源９の点灯時には、第１の指針部８Ａを通じて第２の指針部８Ｂ部分に光が導かれ、第２の指針部８Ｂが発光する。
【００３４】
表示器Ｄ１は、たとえば液晶表示パネル１０（表示素子）と、この液晶表示パネル１０を保持する枠状のホルダー１１と、この枠状ホルダー１１の前面側に配置される表示板１２と、前記枠状のホルダー１１の背後側に配置される光源設置用のプリント基板１３と、このプリント基板１３上に配置された液晶表示パネル１０を照明する液晶表示パネル用光源（光源）１４と、表示板１２を透過照明するための表示板用光源（光源）１５とで構成されている。なお各光源１４，１５はたとえば発光ダイオードからなるものである。
【００３５】
表示素子である液晶表示パネル１０は、たとえばＳＴＮ（Super Twisted Nematic）やＴＮ（Twisted Nematic）等の液晶表示パネルからなり、表示ユニットＵの中央に配置され、様々な情報（たとえば外気温情報、走行距離情報、燃費情報からなる車両情報やたとえばナビゲーション情報からなる交通情報）を表示する。なお液晶表示パネル１０自体は、フロントカバー２側から見て略矩形であるが、台形や円形等、任意形状のパネルを用いることができる。
【００３６】
表示板１２は、液晶表示パネル１０の外周に沿って配置され、指針８の支持対象となる指標部１２Ａ（目盛や文字など）と、液晶表示パネル１０の表示エリアである所要部を露出するための切り欠き形成した窓部１２Ｂとを有し、この窓部１２Ｂから液晶表示パネル１０が視認されるものであり、表示板１２は、結果として液晶表示パネル１０の上側外周に位置して配設されることになる。なお表示板１２は、液晶表示パネル１０の表示エリアを視認でき、且つ表示板１２の指標部１２Ａが液晶表示パネル１０の外周に位置すればよいものであり、切り欠き形成した窓部１２Ｂに替えて透明な透視窓部を設けてもよい。また表示板１２自体は、たとえば、指標部１２Ａが透過性、それ以外が遮光性に形成された通常の透過型印刷表示板が採用され、フロントカバー２側から見た外形形状は、略Ｄ字形である。
【００３７】
枠状のホルダー１１は、たとえば光反射性の良好な白色の合成樹脂材料からなり、フロントカバー２側から見た外形形状は、表示板１２の形状に対応する略Ｄ字形である。この枠状のホルダー１１は壁状の仕切部１１Ａにより区画され、表示板１２に対応する第１の照明室Ｒ１と、液晶表示パネル１０に対応する第２の照明室Ｒ２とが形成されている。
【００３８】
第１の照明室Ｒ１は、指標部１２Ａの配列形状に沿った円弧形状に形成され、その前方側には表示板１２が配置され、また背面側には表示板用光源１５が配置され、さらに表示板１２と表示板用光源１５との間には、導光体１６が配置されている。
【００３９】
導光体１６は、この例では第１の照明室Ｒ１に沿った円弧形状に形成され、表示板用光源１５に対応する位置には、表示板用光源１５に向けて突出する光導入部１６Ａと、表示板１２の背面側に対応する位置には、表示板１２に向けて照射導光するための円錐形状の凹部からなる反射部１６Ｂが形成されており、加えて液晶表示パネル１０の窓枠となる遮光性枠部１６Ｃが前記導光体１６の成形時に２色成形にて形成され、前記表示板１２の窓部１２Ｂの内面側から漏れ出る光線を遮光性枠部１６Ｃによって遮断するように構成している。
【００４０】
そして表示板用光源１５が点灯すると、その光は光導入部１６Ａを介して導光体１６内に導入され、円錐形状の凹部からなる反射部１６Ｂによって放射状に反射されることで表示板１２の板面方向に伝播し、これにより点光源を用いて指標部１２Ａの比較的広い範囲を照明することができるようにしているものであり、表示板用光源１５から表示板１２に至る照明経路を第１の照明室Ｒ１（仕切部１１Ａ）で区画することにより、光の漏洩やロスを抑制することができるように構成している。
【００４１】
一方、第２の照明室Ｒ２は、この例では、前方側が幅広、その反対側が幅狭の四角錐形状に形成され、幅広となる前方側には液晶表示パネル１０が配置され、幅狭となる背面側には液晶表示パネル用光源１４が配置されている。
【００４２】
そして液晶表示パネル用光源１４が点灯すると、その光は第２の照明室Ｒ２内を繰り返し反射し、結果として点光源を用いて液晶表示パネル１０全域を照明することができるようにしているものであり、液晶表示パネル用光源１４から液晶表示パネル１０に至る照明経路を第２の照明室Ｒ２（仕切部１１Ａ）で区画することにより、光の漏洩やロスを抑制することができるように構成している。
【００４３】
光源設置用のプリント基板１３は、その前面側に液晶表示パネル用光源１４と表示板用光源１５とが装着されており、枠状のホルダー１１の背後にビス１７を介して組み付け固定されることで、液晶表示パネル用光源１４と表示板用光源１５とが各照明室Ｒ１，Ｒ２内に位置するようになっている。
【００４４】
ここで、枠状のホルダー１１は、液晶表示パネル１０、表示板１２、導光体１６、プリント基板１３（液晶表示パネル用光源１４、表示板用光源１５）とをそれぞれ結合する中核部品となるものである。なお本例においては、枠状のホルダー１１に液晶表示パネル１０、表示板１２、導光体１６、プリント基板１３のそれぞれをフックや両面テープ等により直接、結合して表示器Ｄ１を構成していたが、他の部材を通じて間接的に結合するものであってもよい。また本例では、プリント基板１３と枠状のホルダー１１との組み付けに際してネジ１７を用いていたが、これら部品同士の結合に限らず、固定部材、固定手段は任意の手段を採用できる。
【００４５】
以上のように構成されるユニット化した表示器Ｄ１は、図２，図３に示すように、枠状のホルダー１１に形成された取付脚部１１Ｂを通じて計器ケース３に片持ち状態で取り付け固定される。
【００４６】
すなわち、この第１の実施形態においては、枠状のホルダー１１の背面側であって、指針８の移動指示領域（回動指示範囲）から外れた非移動領域に位置する領域（図１，図３など参照）には、指針８の動作を妨げないように取付脚部１１Ｂが形成してあり、この例では取付脚部１１Ｂは、計器ケース３側に延びる円柱状突出部であって、その内部には、たとえばセルフタッピングネジからなる固定部材１８が螺合する孔部１１Ｃが形成されている。
【００４７】
また、この実施形態にあっては、指針８の移動指示領域から外れた非移動領域であって前記指示領域の延長上に位置する所定領域において、指針８の下限側移動領域と隣接する位置と、指針８の上限側移動領域と隣接する位置との２点の箇所にそれぞれ前記取付脚部１１Ｂが設けられている。
【００４８】
また、ホルダー１１には、前述した指針８の移動指示領域（回動指示範囲）から外れた非移動領域に位置する領域においてホルダー１１の外側面側に断面Ｔ字状からなる振れ止め部１１Ｄがホルダー１１の奥行き方向に沿って一体に突設されている。この際、振れ止め部１１Ｄは、前記取付脚部１１Ｂの配設位置と隣接した位置に合わせて２箇所に形成されている。
【００４９】
一方、前記ホルダー１１に設けられた各取付脚部１１Ｂに対応する計器ケース３位置には、それぞれの取付脚部１１Ｂを位置合わせしつつ受入可能な固定受部３Ａが２箇所にそれぞれ形成してあり、この例では、固定受部３Ａは、円柱状突設部からなる取付脚部１１Ｂに向けて開口する円筒形状に形成され、その内部には取付脚部１１Ｂを挿入および位置決め可能な凹部３Ｂが形成され、この凹部３Ｂの底部には固定部材１８を挿通可能な孔部３Ｃが形成されている。なお計器ケース３の背後に位置するリアカバー５には、固定部材１８を挿通する貫通孔５Ａが設けられている。
【００５０】
計器ケース３側に設けた２箇所の固定受部３Ａに沿ってホルダー１１に設けられた２箇所の取付脚部１１Ｂを簡単に位置合わせしつつ組み付け保持することができるように構成しており、２点支持により安定状態に固定支持することができるように設けている。
【００５１】
また、前記ホルダー１１の外側面側に設けられたそれぞれの振れ止め部１１Ｄに対応する計器ケース３の側壁面箇所には、それぞれの振れ止め部１１Ｄと合致するように逆Ｔ字状からなる溝状の振れ止め係止部３Ｄが計器ケース３の側壁面の奥行き方向に沿って形成されている。
【００５２】
従って、上述した第１の実施形態にあっては、表示器Ｄ１の計器ケース３に対する組み付けは、表示器Ｄ１の取付脚部１１Ｂを計器ケース３の固定受部３Ａ（凹部３Ｂ）に位置合わせしながら挿入し、これと同時にホルダー１１に設けられた振れ止め部１１Ｄを計器ケース３の側壁面に沿って設けられた振れ止め係止部３Ｄに沿いながら嵌め込んで保持し、その後、計器ケース３の背後にリアケース５を重ねて、計器ケース３およびホルダー１１の取付脚部１１Ｂに設けられた各孔部３Ｃ，１１Ｃとを位置合わせし、その後、背後（リアカバー５側）から貫通孔５Ａと孔部３Ｃ内に固定部材１８を挿入して、さらに固定部材１８の先端側をホルダー１１の孔部１１Ｃに螺着することにより行われ、これにより、表示器Ｄ１が、指針８の作動を妨げることなく、合成樹脂材料からなる硬質の計器ケース３に片持ち状態で安定的に固定することができる。
【００５３】
すなわち、指示計器の組み付けに際し、特に計器ケース３側を基準として、ホルダー１１に組み付け固定した表示器Ｄ１側を簡単に組み付け固定することができるという効果がある。これを達成するため第１の実施形態においては、指針８の移動指示領域から外れた非移動領域に位置するホルダー１１側には、そのホルダー１１の背面側に取付脚部１１Ｂを設けるとともに、ホルダー１１の外側面側に振れ止め部１１Ｄを設け、計器ケース３側には、取付脚部１１Ｂと対向する箇所に取付脚部１１Ｂを位置合わせしつつ受入可能な固定受部３Ａを設けるとともに、振れ止め部１１Ｄを嵌め込み係止する振れ止め係止部３Ｄを設けてなることにより、計器ケース３側に設けた固定受部３Ａに沿ってホルダー１１に設けられた取付脚部１１Ｂを簡単に位置合わせしつつ組み付け保持することができるとともに、計器ケース３側に設けた振れ止め係止部３Ｄに沿ってホルダー１１に設けられた振れ止め部１１Ｄを簡単に嵌め込んで保持することができるものであり、これにより従来に比してその組み付け作業効率を高めつつ計器ケース３側に対して片持ち状態にて安定的に固定強度を充分に保つことができるという効果がある。
【００５４】
この際、指針８の移動指示領域から外れた非移動領域であって前記指示領域の延長領域上に位置する所定領域において、指針８の下限側移動領域と隣接する位置と、指針８の上限側移動領域と隣接する位置との２点の箇所にそれぞれ取付脚部１１Ｂを設け、この各取付脚部１１Ｂに対応する計器ケース３側には、各取付脚部１１Ｂを位置合わせしつつ、受入可能な固定受部３Ａを２箇所にそれぞれ設けてなることにより、計器ケース３側に設けた２箇所の固定受部３Ａに沿ってホルダー１１に設けられた２箇所の取付脚部１１Ｂを簡単に位置合わせしつつ組み付け保持することができ、これにより２点支持により安定状態に固定指示することができるという効果があり、加えてホルダー１１の上端側の側壁に一体に設けた振れ止め部１１Ｄと計器ケース３側に設けた振れ止め係止部３Ｄとを嵌め込み係止することにより片持ち状態にて保持されるホルダー１１側の固定強度を高めることができる。
【００５５】
また、この第１の実施形態にあっては、ホルダー１１の背面側に配設される光源設置用のプリント基板１３を固定受部３Ａとホルダー１１との間にて挟着保持してなることにより、ホルダー１の背後にビス１７を介してプリント基板１３が組み付け固定されるとともに  計器ケース３側に設けられた固定受部３Ａとホルダー１１との間にて挟着保持することができ、個別の固定手段を設けることなくプリント基板１３の固定強度をさらに高めることができる。
【００５６】
図６から図９は本発明の第２実施形態を示すもので、図６は表示器と指針式計器の概要を示す分解斜視図、図７は指示計器の組み付け状態を示す要部の断面図、図８は、図７の指針式計器と表示器との組み付け前の状態を示す分解断面図、図９は、前面カバーを取り除いた状態を示す正面図であり、前述した第１の実施形態と同一部分、均等箇所については同一符号を付して説明する。
【００５７】
同図において、第２の実施形態におけるユニット化した表示器Ｄ１としては、前述した第１の実施形態とほぼ同様の構造を採用している。ここでは、指針８の移動指示領域から外れた非移動領域に位置する領域において、指針８の下限側移動領域と隣接する位置と、指針８の上限側移動領域と隣接する位置との２点の箇所に指針８の動作を妨げないようにそれぞれ取付脚部１１Ｂが設けられている。また取付脚部１１Ｂは、計器ケース３側に延びる円柱状突出部であって、その内部には例えばセルフタッピングネジからなる固定部材１８が螺合する孔部１１Ｃが形成されている。
【００５８】
一方、ホルダー１１に設けられた取付脚部１１Ｂに対応する計器ケース３側には、それぞれの取付脚部１１Ｂを位置合わせしつつ受入可能な固定受部３Ａが２箇所設けられており、この第２の実施形態にあっては、固定受部３Ａは、円柱状突設部からなる取付脚部１１Ｂに向けて開口する円筒形状に形成され、その内部には取付脚部１１Ｂを挿入及び位置決め可能な凹部３Ｂが形成され、この凹部３Ｂの底部には固定部材１８を挿通可能な孔部３Ｃが形成されている。
【００５９】
また前記ホルダー１１には、そのホルダー１１の背面側に前記取付脚部１１Ｂが設けられるとともに、ホルダー１１の外側面側に鍵孔形状からなる振れ止め部１１Ｄ１が一体に設けられ、計器ケース３側には、前記取付脚部１１Ｂと対向する箇所に前記取付脚部１１Ｂを位置合わせしつつ受入可能な固定受部３Ａが設けられるとともに、前記鍵孔形状からなる振れ止め部１１Ｄ１を嵌め込み係止する形状からなる振れ止め係止部３Ｄ１が設けられている。
【００６０】
また、計器ケース３の底面側に設けられた固定受部３Ａの受入口には、開放側が末広がり状となる受入面３Ｅ（傾斜面）が形成されるとともに、計器ケース３の側壁部に設けられた振れ止め係止部３Ｄ１の受入口には、開放側が末広がり状となる受入面３Ｆ（傾斜面）が形成されている。
【００６１】
上述した構成からなる第２の実施形態にあっては、前述した第１の実施形態の作用効果に加えて、計器ケース３の底面側に設けられた固定受部３Ａの受入口と、計器ケース３の側壁部に設けられた振れ止め係止部３Ｄ１の受入口とに、それぞれ開放側が末広がり状となる受入面３Ｅ、３Ｆ（傾斜面）を施してなることによりホルダー１１側の取付脚部１１および振れ止め部１１Ｄ１とをそれぞれ案内しながら位置合わせすることができ、スムーズに組み付け作業を行うことができるという更なる効果がある。
【００６２】
なお、本発明は上述した実施例に限定されるものでなく本発明の要旨の範囲において種々の変形実施が可能である。たとえば、前述した実施形態においては、ホルダー１１に設けた振れ止め部１１Ｄ，１１Ｄ１として断面形状Ｔ字状からなる突部あるいは鍵孔状からなる突部を形成することにより抜け止め効果および横振れ防止などを考慮した形状としていたが、実施例形状に限定されるものでなく他の抜け止め効果および横振れ防止などを考慮した形状であれが良いものであり、また組み付けのための案内ガイドとして受入面３Ｅ，３Ｆを設けていたが、この受入面３Ｅ，３Ｆに加えてホルダー１１側に設けられた取付脚部１１Ｂの下端側角部に面取りを施したり、ホルダー１１に設けられた振れ止め部１１Ｄ，１１Ｄ１の下端面箇所に傾斜面からなる面取りあるいは先端側に向かってごく僅かに先細となるような楔状のなどの誘い込み部を施すことにより、各受入面３Ｅ，３Ｆと相俟って位置合わせおよびスムーズに組み付け作業を行うことができるという更なる効果をも期待できるものであり、しかも組み付け後において隙間なく組み合わせることも可能となる。
【００６３】
また第１および第２の実施形態では、表示器Ｄ１として、液晶表示パネル１０からなる表示素子を用いて説明したが、ＬＥＤ発光による表示素子からなる表示器など任意のものを採用することができるものであり、たとえば液晶表示パネル１０からなる表示素子に替えて電界発光素子や蛍光表示管のような表示器Ｄ１を設けてもよいものであり、前記表示器Ｄ１に加えて、他の表示・報知手段を組み込んでもよい。
【００６４】
また第１および第２の実施形態では、指針８の第２の指針部８Ｂが表示器１０の外側から中心側に延びる（指針８が表示器Ｄ１に対して「コ」字状に迂回する）例を示したが、表示器Ｄ１を迂回して指針８が通る（作動可能な）スリット部を設け、このスリット部を介して指針８が動作するように構成することで、指針８を「Ｔ」字状または指針８の先端部が外側に沿って引き廻し配設されるようなクランク形状からなる指針８として設定してもよいものであり、また前述した特許文献３に記載されているように、指針を水平方向に延出し、その指針の回動支点の上側に位置し、指針式計器の前面側に配置した表示器の外周部から指針の一部である先端側指針指示部を視認するタイプにおいても同様に適用することも可能である。
【図面の簡単な説明】
【００６５】
【図１】図１は、本発明の第１の実施形態を示す指示計器の正面図。
【図２】図２は、図１における中央に位置した指示計器において、前面カバーを取り除いた状態を示す正面図。
【図３】図３は、図１における表示器と指針式計器の概要を示す要部の分解斜視図。
【図４】図４は、図１のＡ−Ａ線断面図。
【図５】図５は、図４の指針式計器と表示器との組み付け前の状態を示す分解断面図。
【図６】図６は、本発明の第２の実施形態を示す指示計器の分解斜視図。
【図７】図７は、指示計器の組み付け状態を示す要部の断面図。
【図８】図８は、図７における表示器と指針式計器の概要を示す要部の分解斜視図。
【図９】図９は、前面カバーを取り除いた状態を示す正面図である。
【符号の説明】
【００６６】
１  遮蔽部材  
２  フロントカバー
３  計器ケース
３Ａ  固定受部
３Ｂ  凹部
３Ｃ  孔部
３Ｄ  振れ止め係止部
３Ｄ１  振れ止め係止部
３Ｅ  受入面
３Ｆ  受入面
４  回路基板
５  リアカバー
５Ａ  貫通孔
６  駆動部材
７  駆動軸（指針軸）
８  指針
８Ａ  第１の指針部
８ａ  ボス部
８Ｂ  第２の指針部
８Ｃ  連結部材
９  指針用光源
１０  液晶表示パネル（表示素子）
１１  枠状のホルダー
１１Ａ  仕切壁
１１Ｂ  取付脚部
１１Ｃ  孔部
１１Ｄ  振れ止め部
１１Ｄ１  振れ止め部
１２  表示板
１２Ａ  指標部
１２Ｂ  窓部
１３  プリント基板
１４  液晶表示パネル用光源（光源）
１５  表示板用光源（光源）
１６  導光体
１６Ａ  光導入部
１６Ｂ  反射部
１６Ｃ  遮光性枠部
１７  ネジ
１８  固定部材
Ｄ１，Ｄ２，Ｄ３  表示器
Ｇ１，Ｇ２，Ｇ３  指針式計器
Ｒ１  第１の照明室
Ｒ２  第２の照明室
【図１】
2008058222.tif 000003
【図２】
2008058222.tif 000004
【図３】
2008058222.tif 000005
【図４】
2008058222.tif 000006
【図５】
2008058222.tif 000007
【図６】
2008058222.tif 000008
【図７】
2008058222.tif 000009
【図８】
2008058222.tif 000010
【図９】
2008058222.tif 000011